(57)【要約】【課題】構成を簡略化し、かつ画面操作を容易に行なうことができるようにした安価な表示装置を提供する。【解決手段】表示装置本体２の映像出力手段の表示エリアの周囲にリモコン受信処理部９〜１３の受信部を配置し、リモコン２０からの表示エリアへの赤外線信号Ａの放射とともに、これら受信部でこの赤外線信号を受信する。リモコン受信処理部９〜１３では、その受信部で受信した赤外線信号Ａの受信レベルＢを検出し、リモコン操作座標生成手段７に供給する。リモコン操作座標生成手段７では、リモコン受信処理部９〜１３からの受信レベルＢと、これら受信部の既知の位置座標とから、リモコン２０の位置を表わすリモコン位置座標とリモコン２０の表示エリアでの指示位置を表わすリモコン指示位置座標とを算出する。これにより、リモコン２０が指示する表示エリアでの位置が検出できる。【選択図】図１
2011243115.tif 000002
【特許請求の範囲】
【請求項１】
リモコンの操作で表示情報を操作する表示装置であって、
表示エリアに対して所定の位置に配置された受信部を有し、該受信部が該リモコンからの信号を受信して、受信信号の大きさを表わす受信レベルを生成するリモコン受信処理手段と、
該リモコン受信処理手段で生成された該受信レベルと該受信部が位置する座標を表わす受信部位置座標とに基づいて、該リモコンが指示する座標を表わすリモコン指示座標と該リモコンが位置する座標を表わすリモコン位置座標とのうち少なくとも１つを含むリモコン操作座標を生成するリモコン操作座標生成手段と
を備え、
該リモコン操作座標生成手段で生成された該リモコン操作座標に基づいて、該表示エリアでの表示情報の操作を可能に構成したことを特徴とする表示装置。
【請求項２】
請求項１に記載の表示装置において、
５個の前記受信部が前記表示エリアの周囲の所定の位置に配置され、
前記リモコン操作座標生成手段は、前記受信部夫々からの前記受信レベルと前記受信部の位置の既知の座標値とから前記リモコン指定座標と前記リモコン位置座標とのうちの少なくとも１つを生成する
ことを特徴とする表示装置。
【請求項３】
請求項１に記載の表示装置において、
４個の前記受信部が前記表示エリアの周囲の所定の位置に配置され、
前記リモコン操作座標生成手段は、前記リモコンが前記表示エリアでの予め決められた位置に設定される直線上の位置に向けて信号を照射したときの４個の前記受信部の受信レベルと、前記受信部の位置の既知の座標値と、該直線の位置の既知の座標値とから、前記リモコン指定座標と前記リモコン位置座標とのうちの少なくとも１つを生成する
ことを特徴とする表示装置。
【請求項４】
請求項１に記載の表示装置において、
３個の前記受信部が前記表示エリアの周囲の所定の位置に配置され、
前記リモコン操作座標生成手段は、前記リモコンが前記表示エリアでの予め決められた設定点に向けて信号を照射したときの３個の前記受信部の受信レベルと、前記受信部の位置の既知の座標値と、該設定点の既知の座標値とから、前記リモコン指定座標と前記リモコン位置座標とのうちの少なくとも１つを生成する
ことを特徴とする表示装置。
【請求項５】
請求項１に記載の表示装置において、
２個の前記受信部が前記表示エリアの周囲の所定の位置に配置され、
前記リモコン操作座標生成手段は、前記リモコンが前記表示エリア上の予め決められた第１の位置座標に向けて該第１の位置座標を含む前記表示エリアに対する垂平面上の第２の位置座標から信号を照射したときの２個の前記受信部の受信レベルと、前記受信部の位置の既知の座標値と、該第１，第２の垂線の既知の位置座標の座標値とから、前記リモコン指定座標と前記リモコン位置座標とのうちの少なくとも１つを生成する
ことを特徴とする表示装置。
【請求項６】
請求項１に記載の表示装置において、
１個の前記受信部が前記表示エリアの周囲の所定の位置に配置され、
前記リモコン操作座標生成手段は、前記リモコンが前記表示エリア上の予め決められた第１の位置座標に向けて該第１の位置座標を含む前記表示エリアに対する垂線上の第２の位置座標から信号を照射したときの１個の前記受信部の受信レベルと、前記受信部の位置の既知の座標値と、該第１，第２の位置座標の既知の座標値とから、前記リモコン指定座標と前記リモコン位置座標とのうちの少なくとも１つを生成する
ことを特徴とする表示装置。
【請求項７】
請求項１または２に記載の表示装置において、
前記リモコン指示座標と、前記リモコン位置座標と、前記リモコン指示座標と前記リモコン位置座標との組合せとの少なくともいずれかに応じて、前記表示エリアでの異なる表示情報の操作を可能に構成したことを特徴とする表示装置。
【請求項８】
請求項１または２に記載の表示装置において、
前記リモコン指示座標が表示情報を表示する前記表示エリア内であるか否かを判定し、判定結果に応じて前記表示エリアでの異なる表示情報の操作を可能に構成したことを特徴とする表示装置。
【請求項９】
リモコンの操作で入力座標を操作する座標入力装置であって、
所定の位置に配置された受信部を有し、該受信部が該リモコンからの信号を受信して、受信信号の大きさを表わす受信レベルを生成するリモコン受信処理手段と、
該リモコン受信処理手段で検出された受信レベルと該受信部が位置する座標を表わす受信部位置座標とに基づいて、該リモコンが指示する座標を表わすリモコン指示座標と該リモコンが位置する座標を表わすリモコン位置座標とのうち少なくとも１つを含むリモコン操作座標を生成するリモコン操作座標生成手段と
を備え、
該リモコン操作座標生成手段で生成されたリモコン操作座標に基づいて、入力座標を生成することを特徴とする座標入力装置。
【発明の詳細な説明】
【技術分野】
【０００１】
本発明は、表示情報の操作が容易な表示装置及び座標入力装置に関するものである。
【背景技術】
【０００２】
表示装置の一従来例として、表示画面に表示されるカーソルの位置を、ポインティングデバイス（座標入力部）の向きを操作者が操作さすることにより、制御できるようにした技術が提案されている（例えば、特許文献１参照）。
【０００３】
この特許文献１に開示される技術は、表示装置のスクリーン領域（表示領域）の対角線上の２つの角部にマーカを設けるとともに、ポインティングデバイスに撮像手段を内蔵し、このポインティングデバイスをスクリーン領域に向けてこの撮像手段でこのスクリーン領域を撮像し、この撮像手段の撮像画面の中心位置がポインティングデバイスの指示する位置を表わすことを利用するものである。この撮像領域での２つのマーカの映像の位置からこの撮像領域内でのスクリーン領域の範囲を求め、このスクリーン領域の範囲内での撮像画面の中心位置を基に、表示装置のスクリーン領域でのポインティングデバイスの指示する位置を検出し、この検出位置をスクリーン領域でのカーソルの表示位置とするものである。
【０００４】
従って、操作者がポインティングデバイスの向きを変えることにより、スクリーン領域でのカーソルの表示位置が変化し、カーソルが移動することになり、御角からカーソルの位置を指定することができる、というものである。
【先行技術文献】
【特許文献】
【０００５】
【特許文献１】特開平８−３３５１３６号公報
【発明の概要】
【発明が解決しようとする課題】
【０００６】
しかしながら、上記特許文献１に記載の技術では、ポインティングデバイスにより、表示装置のスクリーン領域でのカーソルの位置を変化させる画面操作を行なうことができものであるが、このために、ポインティングデバイス内に撮像手段や画像処理手段，位置算出手段，位置情報出力手段などの種々の手段が必要であり、表示装置が複雑な構成で高価なものとなってしまう。
【０００７】
本発明の目的は、かかる問題を解消し、構成を簡略化し、かつ画面操作を容易に行なうことができるようにした安価な表示装置及び座標入力装置を提供することにある。
【課題を解決するための手段】
【０００８】
上記目的を達成するために、本発明は、リモコンの操作で表示情報を操作する表示装置であって、表示エリアに対して所定の位置に配置された受信部を有し、受信部がリモコンからの信号を受信して、受信信号の大きさを表わす受信レベルを生成するリモコン受信処理手段と、リモコン受信処理手段で生成された受信レベルと受信部が位置する座標を表わす受信部位置座標とに基づいて、リモコンが指示する座標を表わすリモコン指示座標とリモコンが位置する座標を表わすリモコン位置座標とのうち少なくとも１つを含むリモコン操作座標を生成するリモコン操作座標生成手段とを備え、リモコン操作座標生成手段で生成されたリモコン操作座標に基づいて、表示エリアでの表示情報の操作を可能に構成したことを特徴とするものである。
【０００９】
また、５個の受信部が表示エリアの周囲の所定の位置に配置され、リモコン操作座標生成手段は、受信部夫々からの受信レベルと受信部の位置の既知の座標値とからリモコン指定座標とリモコン位置座標とのうち少なくとも１つを生成することを特徴とするものである。
【００１０】
または、４個の受信部が表示エリアの周囲の所定の位置に配置され、リモコン操作座標生成手段は、リモコンが表示エリアでの予め決められた位置に設定される直線上の位置に向けて信号を照射したときの４個の受信部の受信レベルと、受信部の位置の既知の座標値と、直線の位置の既知の座標値とから、リモコン指定座標とリモコン位置座標とのうち少なくとも１つを生成することを特徴とするものである。
【００１１】
または、３個の受信部が表示エリアの周囲の所定の位置に配置され、リモコン操作座標生成手段は、リモコンが表示エリアでの予め決められた設定点に向けて信号を照射したときの３個の受信部の受信レベルと、受信部の位置の既知の座標値と、設定点の既知の座標値とから、リモコン指定座標とリモコン位置座標とのうち少なくとも１つを生成することを特徴とするものである。
【００１２】
または、２個の受信部が表示エリアの周囲の所定の位置に配置され、リモコン操作座標生成手段は、リモコンが表示エリア上の予め決められた第１の位置座標に向けて第１の位置座標を含む表示エリアに対する垂平面上の第２の位置座標から信号を照射したときの２個の受信部の受信レベルと、受信部の位置の既知の座標値と、第１，第２の垂線の既知の位置座標の座標値とから、リモコン指定座標とリモコン位置座標とのうち少なくとも１つを生成することを特徴とするものである。
【００１３】
また、１個の受信部が表示エリアの周囲の所定の位置に配置され、リモコン操作座標生成手段は、リモコンが表示エリア上の予め決められた第１の位置座標に向けて第１の位置座標を含む表示エリアに対する垂線上の第２の位置座標から信号を照射したときの１個の受信部の受信レベルと、受信部の位置の既知の座標値と、第１，第２の位置座標の既知の座標値とから、リモコン指定座標とリモコン位置座標とのうち少なくとも１つを生成することを特徴とするものである。
【００１４】
また、リモコン指示座標と、リモコン位置座標と、リモコン指示座標とリモコン位置座標との組合せとの少なくともいずれかに応じて、表示エリアでの異なる表示情報の操作を可能に構成したことを特徴とするものである。
【００１５】
また、リモコン指示座標が表示情報を表示する表示エリア内であるか否かを判定し、判定結果に応じて表示エリアでの異なる表示情報の操作を可能に構成したことを特徴とするものである。
【００１６】
上記目的を達成するために、本発明は、リモコンの操作で入力座標を操作する座標入力装置であって、所定の位置に配置された受信部を有し、受信部がリモコンからの信号を受信して、受信信号の大きさを表わす受信レベルを生成するリモコン受信処理手段と、リモコン受信処理手段で検出された受信レベルと受信部が位置する座標を表わす受信部位置座標とに基づいて、リモコンが指示する座標を表わすリモコン指示座標とリモコンが位置する座標を表わすリモコン位置座標とのうち少なくとも１つを含むリモコン操作座標を生成するリモコン操作座標生成手段とを備え、リモコン操作座標生成手段で生成されたリモコン操作座標に基づいて、入力座標を生成することを特徴とするものである。
【発明の効果】
【００１７】
本発明によると、リモコンの操作によってリモコンの指示座標とリモコンの位置座標とを認識できるので、表示情報の操作が直接的に行なうことができる。
【図面の簡単な説明】
【００１８】
【図１】本発明による表示装置の第１の実施形態を示すブロック構成図である。
【図２】図１における表示装置本体の前面部とこれに向けられたリモコンの状態の一具体例を示す斜視図である。
【図３】図１におけるリモコン操作座標生成手段によるリモコン操作座標生成方法の一具体例を示す図である。
【図４】本発明による表示装置の第２の実施形態を示すブロック構成図である。
【図５】図４における表示装置本体の前面部とこれに向けられたリモコンの状態の一具体例を示す斜視図である。
【図６】図４におけるリモコン操作座標生成手段によるリモコン操作座標生成方法の一具体例を示す図である。
【図７】本発明による表示装置の第３の実施形態を示すブロック構成図である。
【図８】図７における表示装置本体の前面部とこれに向けられたリモコンの状態の一具体例を示す斜視図である。
【図９】図７におけるリモコン操作座標生成手段によるリモコン操作座標生成方法の一具体例を示す図である。
【図１０】本発明による表示装置の第４の実施形態を示すブロック構成図である。
【図１１】図１０における表示装置本体の前面部とこれに向けられたリモコンの状態の一具体例を示す斜視図である。
【図１２】図１０におけるリモコン操作座標生成手段によるリモコン操作座標生成方法の一具体例を示す図である。
【図１３】本発明による表示装置の第５の実施形態を示すブロック構成図である。
【図１４】図１３における表示装置本体の前面部とこれに向けられたリモコンの状態の一具体例を示す斜視図である。
【図１５】図１３におけるリモコン操作座標生成手段によるリモコン操作座標生成方法の一具体例を示す図である。
【発明を実施するための形態】
【００１９】
〔第１の実施形態〕
図１は本発明による表示装置の第１の実施形態を示すブロック構成図であって、１は表示装置、２は表示装置本体、３はコンテンツ出力手段、４は表示出力手段、５は音声出力手段、６はコンテンツ生成手段、７はリモコン操作座標生成手段、８はリモコン受信処理手段、９〜１３はリモコン受信処理部、２０はリモコン（リモートコントローラ）、２１はリモコン送信処理手段、２２は操作情報生成手段、２３は操作手段である。
【００２０】
同図において、表示装置は、映像や音声のコンテンツを表示する表示装置本体２と、この表示装置本体２の出力画面や出力音声，各種機能などを操作するためのリモコン２０とで構成している。表示装置本体２は、リモコン受信処理手段８とリモコン操作座標生成手段７とコンテンツ生成手段６とコンテンツ出力手段３とを備え、リモコン２０は、操作手段２３と操作情報生成手段２２とリモコン送信処理手段２１とを備えている。
【００２１】
表示装置本体２において、リモコン受信処理手段８は、夫々が赤外線による信号（以下、赤外線信号という）Ａの受信センサを備え、かかる受信センサで受信したリモコン２０からの赤外線信号Ａの受信レベルを生成する複数（ここでは、５個）のリモコン受信処理部９〜１３からなる。また、リモコン受信処理手段８は、受信した赤外線信号Ａからリモコン２０の操作情報Ｅを生成する。
【００２２】
リモコン操作座標生成手段７は、リモコン受信処理手段８内のリモコン受信処理部９〜１３の夫々からの複数の受信レベルＢとリモコン受信処理部９〜１３の夫々の受信センサの位置を表わす受信位置座標Ｃとに基づいて、リモコン２０が指示する位置を表わすリモコン指示座標とリモコン２０の位置を表わすリモコン位置座標とからなるリモコン操作座標Ｄを生成する。
【００２３】
コンテンツ生成手段６は、リモコン受信処理手段８からのリモコン２０の操作情報Ｅと、リモコン操作座標生成手段７からのリモコン操作座標Ｄとに基づいて、視聴／記録するコンテンツ情報や各種メニュー情報の出力画面情報Ｆ，出力音声情報Ｇを生成する。かかるコンテンツ生成手段６は、例えば、放送コンテンツ受信のためのアンテナやチューナ，蓄積コンテンツの作成／再生のためのレコーダ，インターネットコンテンツアクセスのためのネットワークアクセス手段，各種コンテンツの符号化／復号化のための画像コーデックや音声コーデック，視聴／記録する各種コンテンツ選択のためのコンテンツ選択メニュー生成手段，表示装置本体２の各種機能設定のための機能設定メニュー生成手段などで構成している。
【００２４】
コンテンツ出力手段３は、液晶パネルなどの映像を表示する映像出力手段４とスピーカやヘッドホーンなどの音声を出力する音声出力手段５とを備え、映像出力手段４は、コンテンツ生成手段６からの出力画面情報Ｆに基づいた映像を出力し、音声出力手段５は、コンテンツ生成手段６からの出力音声情報Ｇに基づいた音声を出力する。
【００２５】
一方、リモコン２０において、操作手段２３は、表示装置本体１の操作を指示するための１つ以上のキーを備え、このキーの操作に基づいてキー操作の内容を示す操作信号Ｈを生成し、操作情報生成手段２２は、操作手段２３からの操作信号Ｈに基づいて表示装置本体１の操作情報Ｉを生成する。リモコン送信処理手段２１は、操作情報生成手段２２からの操作情報Ｉを指向性のある赤外線信号Ａで送信する。
【００２６】
図２は図１における表示装置本体２の前面部とこれに向けられたリモコン２０の状態の一具体例を示す斜視図であって、４ａは図１における映像出力手段４の表示エリア、９ｓ〜１３ｓは受信センサであり、図１に対応する部分には同一符号を付けて重複する説明を省略する。
【００２７】
同図において、表示本体２の前面部には、コンテンツ生成手段６からの出力画面情報Ｆに基づいた映像を出力する表示エリア４ａが設けられ、この表示エリア４ａの左下角部の外側にリモコン受信処理部９（図１）の受信センサ９ｓが、同じく右下角部の外側にリモコン受信処理部１０（図１）の受信センサ１０ｓが、同じく左上角部の外側にリモコン受信処理部１１（図１）の受信センサ１１ｓが、同じく右上角部の外側にリモコン受信処理部１２（図１）の受信センサ１２ｓが夫々設けられており、さらに、この表示エリア４ａの上辺外側の中央部にリモコン受信処理部１３（図１）の受信センサ１３ｓが設けられている。なお、上記の左下角部，右下角部，左上角部，右上角部及び中央部とは夫々、左下角，右下角，左上角，右上角，中央部、あるいはそれらの位置の近辺をいうものであり、これらの位置が受信位置座標Ｃとなる。
【００２８】
ここでは、リモコン２０を、表示装置本体２の前面の略中央に配置した表示エリア４ａの前方側から、この表示エリア４ａに向けた状態で操作している。但し、これに限るものではなく、リモコン２０の操作位置は、この表示エリア４ａの斜め前方などであってもよいし、リモコン２０を向ける位置は、この表示エリア４ａの外であってもよいし、表示エリア４ａは、表示装置本体２のいずれかの辺部側に片寄って配置するなどでもよい。
【００２９】
なお、受信センサ９ｓ〜１３ｓの配置としては、上記の配置に限るものではないが、上記の任意のリモコン指示座標とリモコン位置座標に対して、各リモコン受信処理部９〜１３の受信センサ９ｓ〜１３ｓでの赤外線信号Ａの受信レベルの相関性が低くなるように、これら受信センサ９ｓ〜１３ｓの配置関係を設定することが望ましい。
【００３０】
また、ここでは、リモコン送信処理手段２１は、リモコン２０の略先端に配備しているが、これに限るものではない。
【００３１】
図３は図１におけるリモコン操作座標生成手段７によるリモコン操作座標生成方法の一具体例を示す図であり、３０はリモコン位置座標平面、３１は右側面、３１Ｕは右側面３１の下辺であり、図２に対応する部分には同一符号をつけて重複する説明を省略する。
【００３２】
同図において、映像出力手段４（図１）の表示エリア４ａはＸＹＺ座標系でのＸＹ平面内にあり、その中心点ＰｏをこのＸＹＺ座標系での原点としての座標原点(０，０，０）とする。また、リモコン２０が表示エリア４ａに向かって赤外線信号を送信するときのリモコン２０の位置（より具体的には、リモコン２０の赤外線送信位置）をリモコン位置座標Ｐｓ(Ｘｓ，Ｙｓ，Ｚｓ）として、表示エリア４ａからＺ軸方向に距離Ｚｓだけ離れ、このリモコン位置座標Ｐｓを含むこの表示エリア４ａに平行な平面をリモコン位置座標平面３０とする。このリモコン位置座標平面３０は、表示エリア４ａをそのままＺ軸方向に距離Ｚｓだけ平行移動させたときの形状，大きさをなしており、リモコン２０の位置に応じて表示エリア４ａからの距離Ｚｓが異なる。
【００３３】
また、図示する状態で見て、表示エリア４ａの右辺を一方の側辺とし、リモコン位置座標平面３０の右辺を他方の側辺とするＹＺ平面内の平面を、右側面３１とする。この右側面３１が表示エリア４ａ及びリモコン位置座標平面３０に対してなす角度は、９０度である。この右側面３１の表示エリア４ａ側の辺（これは、表示エリア４ａの右辺でもある）を右側面３１の右辺、この右側面３１のリモコン位置座標平面３０側の辺（これは、リモコン位置座標平面３０の右辺でもある）を右側面３１の左辺とする。
【００３４】
さらに、表示エリア４ａの右辺下端位置（従って、右側面３１の右辺下端位置）は、リモコン受信処理部１０（図１）の受信センサ１０ｓが配置されている位置であって、この位置をリモコン受信位置座標Ｐｒ(Ｘｒ，Ｙｒ，０）とする。また、リモコン位置座標平面３０の右辺下端位置（従って、右側面３１の左辺下端位置）を、リモコン受信位置座標Ｐｒのリモコン位置座標平面３０への投影位置として、リモコン受信位置投影座標Ｐｒ’(Ｘｒ，Ｙｒ，Ｚｓ）とする。
【００３５】
さらにまた、リモコン位置座標平面３０上のリモコン位置座標Ｐｓの表示エリア４ａ上への投影位置、即ち、リモコン位置座標Ｐｓを通る表示エリア４ａに垂直な直線（垂線）が表示エリアと交差する位置を、リモコン位置投影座標Ｐｓ’(Ｘｓ，Ｙｓ，０）という。
【００３６】
さらにまた、リモコン位置座標Ｐｓからリモコン２０が指示する表示エリア４ａ上の位置を、リモコン指示座標Ｐｐ（Ｘｐ，Ｙｐ，０）という。
【００３７】
リモコン受信位置座標Ｐｒとリモコン位置座標Ｐｓとを結ぶ線分を送受信間線分Ｄｓｒとし、リモコン位置座標Ｐｓとリモコン受信位置投影座標Ｐｒ’とを結ぶ線分をＤｘｙとし、リモコン受信位置座標Ｐｒとリモコン受信位置投影座標Ｐｒ’との間の線分をＤｚとする。また、右側面の下辺３１Ｕである線分Ｄｚに対する送受信間線分Ｄｓｒのなす角度を受信部入射角Ａｒという。ここで、線分Ｄｘｙと線分Ｄｚとがなす角度は９０度である。
【００３８】
リモコン位置座標Ｐｓとリモコン指示座標Ｐｐとを結ぶ線分をＤｓｐとし、リモコン指示座標Ｐｐとリモコン受信位置座標Ｐｒとを結ぶ線分をＤｐｒとする。また、線分Ｄｓｐに対する送受信間線分Ｄｓｒのなす角度を送信部放射角Ａｓｐｒとする。
【００３９】
リモコン位置投影座標Ｐｓ’とリモコン位置座標Ｐｓとを結ぶ線分をＤｚ’とし、リモコン位置投影座標Ｐｓ’とリモコン指示座標Ｐｐとを結ぶ線分をＤｓ’ｐとし、リモコン位置投影座標Ｐｓ’とリモコン受信位置座標Ｐｒとを結ぶ線分をＤｓ’ｒとする。ここで、線分Ｄｚ’と線分Ｄｓ’ｐとがなす角度は９０度である。
【００４０】
この第１の実施形態は、リモコン２０を表示エリア４ａの方向に向けて赤外線信号を送信させ、赤外線で表示エリア４ａのユーザが希望する位置を指示する。この位置がリモコン指示座標Ｐｐであるが、このとき、５個の受信センサ９ｓ〜１３ｓで受信される信号の受信レベルを生成し、これら受信レベルをもとに、リモコン位置座標Ｐｓとリモコン指示座標Ｐｐとを求めるものである。
【００４１】
次に、リモコン２０のリモコン送信処理手段２１（図１，図２）の送信部から送信された赤外線の受信部（受信センサ９ｓ〜１３ｓ）での受信レベルについて説明する。
【００４２】
リモコン受信処理部１０（図１）の受信センサ１０ｓ（図２）での赤外線信号の受信レベルは、図３に示す赤外線信号の送信状態において、送受信間距離Ｄｓｒと送信部放射角Ａｓｐｒと受信部入射角Ａｒとの３つの要素で決定される。これは、赤外線も電磁波の一種であり、到達距離の長さに依存して放射強度が減衰していくからであり、また、リモコン２０の赤外線の送信部とリモコン受信処理部での受信部（即ち、受信センサ）とは夫々指向性を有しているため、送信部での放射角と受信部での入射角の大きさに依存して送信部の放射強度と受信センサでの受信感度が減衰するからである。なお、この関係は、リモコン受信処理部９内受信部に限らず、他の受信部も同様である。
【００４３】
従って、受信部での受信レベルは、次の数１で表わされる。
【００４４】
（数１）
受信レベル＝基準条件での受信レベル
×距離依存の減衰関数Ｄ（距離）
×放射角依存の減衰関数Ｓ（放射角）
×入射角依存の減衰関数Ｆ（入射角）
なお、ここでは、基準条件とは、距離が１（ｍ）、放射角が０（度）、入射角が０（度）である。但し、これに限るものではない。
【００４５】
また、数式１の各減衰関数Ｄ，Ｓ，Ｆは夫々、送信部から受信部までの距離をｄ（ｍ）、送信部の放射角をＡｓ（度）、受信部での入射角をＡｒ（度）と居ると、例えば、次の数２、即ち、
（数２）
距離依存の減衰関数Ｄ＝（１／ｄ)2
放射角依存の減衰関数Ｓ＝１−（Ａｓ／９０)2×５．０
入射角依存の減衰関数Ｆ＝１−（Ａｒ／９０)2×１．２
で表わされる。
【００４６】
次に、図３におけるリモコン受信位置座標Ｐｒの受信部（受信センサ１０ｓ）での受信レベルの算出方法について説明する。
【００４７】
上記数２における距離依存の減衰関数Ｄでの変数としての距離ｄは、図３の送受信間線分Ｄｓｒの距離に相当し、これをＤｓｒとすると、ピタゴラスの定理を用いることにより、次の数３で表わされる。
【００４８】
（数３）
Ｄｓｒ＝√（Ｄｚ2＋Ｄｘｙ2）
＝√[Ｚｓ2＋√｛（Ｘｒ−Ｘｓ)2＋（Ｙｒ−Ｙｓ)2}2]
ここで、数３でのＤｚは図３での線分Ｄｚの長さ、Ｄｘｙは同じく線分Ｄｘｙの長さである。ここで、Ｘｒ，Ｙｒは既知の値であり、Ｚｓ，Ｘｓ，Ｙｓは未知の値である。
【００４９】
上記数２における放射角依存の減衰関数Ｓでの変数としての放射角Ａｓは、図３の送信部放射角Ａｓｐｒに相当し、ピタゴラスの定理やヘロンの公式，２辺夾角の公式を用いることで、次の数４で表わされる。即ち、上記の線分Ｄｓｐ，Ｄｓｒ，Ｄｐｒの長さを夫々Ｄｓｐ，Ｄｓｒ，Ｄｐｒとすると、
Ｄall＝（Ｄｓｐ＋Ｄｓｒ＋Ｄｐｒ）／２
として、線分Ｄｓｐ，Ｄｓｒ，Ｄｐｒで囲まれた三角形の面積をＳとして、ヘロンの公式により、
Ｓ2＝Ｄall・(Ｄall−Ｄｓｐ)・(Ｄall−Ｄｓｒ)・(Ｄall−Ｄｐｒ）
であり、また、二辺挟角の公式から、
Ｓ＝Ｄｓｐ・Ｄｓｒ・ｓｉｎ（Ａｓｐｒ）／２
である。これら公式と長さＤｓｐ，Ｄｓｒ，Ｄｐｒを位置座標Ｐｓ，Ｐｒ，Ｐｐの座標値からピタゴラスの定理によって求めることにより、
（数４）
Ａｓｐｒ
＝ｓｉｎ-1［
√｛  ｓｒ
×（ｓｒ−√［Ｚｓ2＋√｛（Ｘｒ−Ｘｓ)2＋（Ｙｒ−Ｙｓ)2}2］）
×（ｓｒ−√［Ｚｓ2＋√｛（Ｘｐ−Ｘｓ)2＋（Ｙｐ−Ｙｓ)2}2］）
×（ｓｒ−           √｛（Ｘｒ−Ｘｐ)2＋（Ｙｒ−Ｙｐ)2｝  ）  ｝
÷｛      √［Ｚｓ2＋√｛（Ｘｒ−Ｘｓ)2＋（Ｙｒ−Ｙｓ)2}2  ］
×  √［Ｚｓ2＋√｛（Ｘｐ−Ｘｓ)2＋（Ｙｐ−Ｙｓ)2}2  ］
÷２  ｝
］
ここで、ｓｒ＝（  √［Ｚｓ2＋√｛（Ｘｒ−Ｘｓ)2＋（Ｙｒ−Ｙｓ)2}2］
＋  √［Ｚｓ2＋√｛（Ｘｐ−Ｘｓ)2＋（Ｙｐ−Ｙｓ)2}2］
＋             √｛（Ｘｒ−Ｘｐ)2＋（Ｙｒ−Ｙｐ)2｝  ）
÷２
である。ここで、Ｘｒ，Ｙｒは既知の値であり、Ｘｓ，Ｙｓ，Ｚｓ，Ｘｐ，Ｙｐは未知の値である。
【００５０】
上記数２における入射角依存の減衰関数Ｆでの変数としての入射角Ａｒは、図３の受信部入射角Ａｒに相当し、ピタゴラスの定理、逆正接関数を用いることで、次の数５で表わされ、
（数５）
Ａｒ＝ｔａｎ-1（Ｄｚ／Ｄｘｙ）
Ａｒ＝ｔａｎ-1［√｛（Ｘｒ−Ｘｓ）2＋（Ｙｒ−Ｙｓ）2｝÷Ｚｓ］
である。ここで、Ｘｒ，Ｙｒは既知の値であり、Ｘｓ，Ｙｓ，Ｚｓは未知の値である。
【００５１】
以上、数１〜数５によると、受信レベルはＸｓ，Ｙｓ，Ｚｓ，Ｘｐ，Ｙｐの５つの変数が分かると、数３〜数５により送信部から受信部までの距離ｄ（ｍ）、送信部での放射角Ａｓ（度）、受信部での入射角Ａｒを算出することが可能であり、数２，数１により、受信レベルを求めることができる。なお、リモコン受信位置座標Ｐｒの座標値Ｘｒ，Ｙｓは、表示エリア４ａでの配備位置で決定されるので、定数となる。
【００５２】
言い換えると、受信レベルを決定する５つの変数の個数と同数の受信部を表示エリア４ａに配備し、５つの受信レベルを取得することにより、５つの変数を用いた５元連立方程式を立てることができ、その解を求めることにより、リモコン位置座標Ｐｓの座標値Ｘｓ，Ｙｓ，Ｚｓとリモコン指示座標Ｐｐの座標値Ｘｐ，Ｙｐを算出することができる。
【００５３】
従って、この第１の実施形態では、図２に示すように、表示エリア４ａの周囲に受信部としての５つの受信センサ９ｓ，１０ｓ，１１ｓ，１２ｓ，１３ｓを配置し、夫々の受信センサ９ｓ，１０ｓ，１１ｓ，１２ｓ，１３ｓの受信レベルを求めるものである。夫々の受信レベルが上記数１の受信レベルであり、受信センサ９ｓ，１０ｓ，１１ｓ，１２ｓ，１３ｓ毎にこの数１の左辺の値が求められるものである。そして、夫々の数１は、上記の数２の距離依存の減衰関数Ｄ，放射角依存の減衰関数Ｓ及び入射角依存の減衰関数Ｆで表わされ、かつ夫々の減衰関数Ｄ，Ｓ，Ｆは夫々数３，数４，数５で表わされるから、数１の受信レベルはこれら数３，数４，数５に含まれる５つの変数Ｘｓ，Ｙｓ，Ｚｓ，Ｘｐ，Ｙｐを持つ関数となり、かかる５つの変数Ｘｓ，Ｙｓ，Ｚｓ，Ｘｐ，Ｙｐを持つ関数が５つ得られることになるから、５元連立方程式が成立することになる。そして、この５元連立方程式を解くことにより、変数Ｘｓ，Ｙｓ，Ｚｓ，Ｘｐ，Ｙｐの値が求まることになる。従って、リモコン位置座標Ｐｓ(Ｘｓ，Ｙｓ，Ｚｓ）やリモコン指示座標Ｐｐ（Ｘｐ，Ｙｐ，０）が求まることになる。
【００５４】
以上のことからして、この第１の実施形態では、任意の位置からリモコン２０を操作しても、このリモコン２０が指示する表示エリア４ａ上の位置（リモコン指示座標Ｐｐ）を認識することが可能となり、表示エリア４ａでの表示情報の操作が直感的（直接的）に行なうことができて、使い勝手が向上する。
【００５５】
また、何ら特定の操作を強いることがなく、表示エリア４ａ上のリモコン指示座標Ｐｐを認識することが可能となり、使い勝手がさらに向上する。例えば、複数の各種コンテンツの視聴状態においては、リモコン指示位置にあるコンテンツに対する各種選択操作として扱うなど、これに限らない色々な使い勝手の良い操作が可能になる。
【００５６】
また、リモコン２０の指示位置が表示エリア４ａ内であっても、表示エリア４ａ外であっても、その指示位置を認識することが可能となり、これにより、リモコン指示位置が表示エリア４ａ内にある場合と表示エリア４ａ外にある場合とで表示情報の操作を変えるようにすることもでき、使い勝手が向上する。
【００５７】
例えば、各種コンテンツの視聴状態においては、リモコン２０の指示位置が表示エリア４ａの下側にあるときには、この指示位置のＸ座標方向の位置変化で音量操作ができ、リモコン２０の指示位置が表示エリア４ａの左側にあるときには、この指示位置のＹ座標方向の位置変化でコンテンツの切り替え操作ができ、リモコン２０の指示位置が表示エリア４ａの上側にあるときには、この指示位置のＸ座標方向の位置変化でコンテンツの早送り操作等ができ、リモコン２０の指示位置が表示エリア４ａの右側にあるときには、この指示位置のＹ座標位置でコンテンツメディアの切り替え操作ができるようにし、また、各種コンテンツの選択操作状態においては、指示位置が表示エリア４ａ内にあるときには、リモコン２０のこの指示位置にあるコンテンツを選択操作ができ、この指示位置が表示エリア４ａ外にあるときには、コンテンツ選択画面のスクロール操作ができるようにすることもできるものであり、以上の操作に限らなくとも、色々な使い勝手の良い操作が可能になる。
【００５８】
さらに、リモコン位置Ｐｓとリモコン指示位置Ｐｐとの２つの位置が認識可能となるから、リモコン位置Ｐｓとリモコン指示位置Ｐｐとの組合せとで、夫々表示情報の操作を変えるようにすることもでき、使い勝手がさらに向上する。
【００５９】
例えば、各種コンテンツの視聴状態においては、リモコン位置Ｐｓに応じて音量操作やコンテンツの切り替え操作ができ、リモコン指示位置Ｐｐに応じてコンテンツの早送り操作等の操作ができ、各種３Ｄ（３次元）コンテンツの視聴状態においては、リモコン位置Ｐｓで顔の位置を表わす視聴位置の操作をすることができ、リモコン指示位置Ｐｐで視聴したい位置を表わす被視聴位置の操作をすることができるようにすることもでき、これに限るものではないが、色々な操作が可能となって使い勝手がさらに向上する。
【００６０】
〔第２の実施形態〕
図４は本発明による表示装置の第２の実施形態を示すブロック構成図であって、図１に対応する部分には同一符号をつけて重複する説明を省略する。
【００６１】
同図において、この第２の実施形態では、表示装置本体２に、先の第１の実施形態の場合とは１つ少ない４個のリモコン受信処理部９〜１２を設けたものである。これ以外の構成は先の第１の実施形態と同様であり、４個のリモコン受信処理部９〜１２の受信レベルを用いて、リモコン操作座標生成手段７がリモコン２０の位置を表わすリモコン位置座標とリモコン２０の表示エリア４ａでの指示位置を表わすリモコン指示座標とを求めることができるようにしたものである。
【００６２】
但し、この第２の実施形態では、検出する受信レベル、従って、連立させたい方程式の数が第１の実施形態よりも１つ足りないために、リモコン操作座標生成手段７でのリモコン操作座標生成では、受信レベルを決定する上記数１〜５での５つの変数うち、少なくても１つの変数を既知の値の定数として扱うようにする。
【００６３】
具体的には、予め実施する所定のリモコン操作に基づいて、リモコン位置座標のＸ座標，Ｙ座標，Ｚ座標及びリモコン指示座標のＸ座標，Ｙ座標のうち少なくとも１つを生成して保持しておき、この保持した所定座標も、リモコン操作座標生成手段７での上記数１〜５に基づくリモコン操作座標生成処理に用いるものである。
【００６４】
図５は図４における表示装置本体２の前面部とこれに向けられたリモコン２０の状態の一具体例を示す斜視図であって、図２に対応する部分には同一符号を付けて重複する説明を省略する。
【００６５】
同図において、表示本体２の前面部には、その表示エリア４ａの左下角部の外側にリモコン受信処理部９（図４）の受信センサ９ｓが、同じく右下角部の外側にリモコン受信処理部１０（図４）の受信センサ１０ｓが、同じく左上角部の外側にリモコン受信処理部１１（図４）の受信センサ１１ｓが、同じく右上角部の外側にリモコン受信処理部１２（図４）の受信センサ１２ｓが夫々設けられている。なお、上記の左下角部，右下角部，左上角部及び右上角部とは夫々、左下角，右下角，左上角，右上角、あるいはそれらの位置の近辺をいうものであり、これらの位置が受信位置座標となる。
【００６６】
ここでは、リモコン２０を、表示装置本体２の前面の略中央に配置した表示エリア４ａの前方側から、この表示エリア４ａに向けた状態で操作する。但し、先の第１の実施形態と同様に、これに限るものではない。
【００６７】
なお、受信センサ９ｓ〜１２ｓの配置としては、先の第１の実施形態と同様、上記の配置に限るものではないが、上記の任意のリモコン指示座標とリモコン位置座標に対して、各リモコン受信処理部９〜１２の受信センサ９ｓ〜１２ｓでの赤外線信号Ａの受信レベルの相関性が低くなるように、これら受信センサ９ｓ〜１２ｓの配置関係を設定することが望ましい。
【００６８】
また、リモコン２０では、先の第１の実施形態と同様、ここでは、リモコン送信処理手段２１がこのリモコン２０の略先端に配備されるが、これに限るものではない。
【００６９】
図６は図４におけるリモコン操作座標生成手段７によるリモコン操作座標生成方法の一具体例を示す図であって、図３に対応する部分には同一符号をつけて重複する説明を省略する。
【００７０】
同図において、表示エリア４ａ上に、予め実施する所定のリモコン操作におけるリモコン指示座標ＰｐのＸ座標値Ｘｐを規定するための線分を所定指示線分Ｌ1として設定している。ここでは、かかる所定指示線分Ｌ1に座標原点Ｐｏ(０，０，０）を通る無限終端の垂線を設定している。但し、これに限るものではなく、表示エリア４ａ上の他の位置を通る無限終端の垂線を設定してもよい。これにより、所定指示線分Ｌ1のＸ軸座標値は既知となる。ここで、所定指示線分Ｌ1を設定している以外、第１の実施形態と同様の構成である。
【００７１】
なお、上記の通り、この所定指示線分Ｌ1は、ユーザが容易に意識できるような設定が望ましい。また、予め実施する所定のリモコンの操作により、この所定指示線分Ｌ1を予め決められた時間だけ所定の線分などで表示し、この所定指示線分Ｌ1をユーザが容易に認識できるようにしてもよい。
【００７２】
次に、リモコン２０の所定操作で４個の受信センサ９ｓ〜１２ｓで得られた４つの受信レベルをもとに、所定のリモコン操作におけるリモコン位置座標Ｐｓ（Ｘｓ，Ｙｓ，Ｚｓ）とリモコン指示座標Ｐｐ（Ｘｐ，Ｙｐ，０）を求める処理について説明する。
【００７３】
まず、所定のリモコン操作として、リモコン２０を操作して表示エリア４ａでの所定指示線分Ｌ1上の位置を指示する。例えば、この場合、この所定指示線分Ｌ1は表示エリア４ａの座標原点Ｐｏを通る垂線であるから、この座標原点Ｐｏもしくはその上下の位置を指示するようにすればよい。かかる所定の操作によると、このリモコン指示座標ＰｐのＸ座標値がＸｐ＝０となり、定数となる。従って、先の数１〜５による５元連立方程式での変数は、リモコン位置座標Ｐｓの座標値Ｘｓ，Ｙｓ，Ｚｓとリモコン指示座標Ｐｐの座標値Ｙｐの４個となり、４元連立方程式でこれら４個の変数を算出することができる。
【００７４】
そこで、この第２の実施形態では、例えば、図５に示すように配置された４個の受信センサ９ｓ〜１２ｓを用いものであって、これら受信センサ９ｓ〜１２ｓの受信レベルからリモコン位置座標Ｐｓ（Ｘｓ，Ｙｓ，Ｚｓ）とリモコン指示座標Ｐｐ（Ｘｐ，Ｙｐ，０）とを求めるものである。
【００７５】
そして、このように、所定のリモコン操作により、リモコン位置座標Ｐｓ（Ｘｓ，Ｙｓ，Ｚｓ）とリモコン指示座標Ｐｐ（Ｘｐ，Ｙｐ，０）とが求まるので、所定のリモコン操作の後に行なうリモコン操作において、リモコン位置座標ＰｓのＸｓ，Ｙｓ，Ｚｓとリモコン指示座標ＰｐのＸｐ，Ｙｐとの少なくとも１つの座標値を変えなければ、リモコン２０の向きを変えるなどしてリモコン指示座標Ｐｐ（Ｘｐ，Ｙｐ，０）を変えても、リモコン位置座標Ｐｓの座標値Ｘｓ，Ｙｓ，Ｚｓとリモコン指示座標ＰｐのＸｐ，Ｙｐとの少なくともいずれか１つは既に求められて定数となっているので、やはり変数は４個であり、リモコン位置座標Ｐｐ（Ｘｓ，Ｙｓ，Ｚｓ）とリモコン指示座標Ｐｐ（Ｘｐ，Ｙｐ，０）とを算出することができる。
【００７６】
なお、ここでは、所定指示線分Ｌ1を表示エリア４ａの座標原点Ｐｏを通る垂線としたが、座標原点Ｐｏを通る水平線としてもよいし、他の直線としてもよい。但し、ユーザがこの想定される所定指示線分Ｌ1を把握できるような直線とした方がよいことはいうまでもない。
【００７７】
以上のように、この第２の実施形態では、予め決められた所定線分上の任意の座標をリモコン２０で指示するという簡単な所定操作を規定することにより、かつ、この所定操作におけるリモコン位置座標ＰｓのＸ座標，Ｙ座標，Ｚ座標とリモコン指示座標ＰｐのＸ座標，Ｙ座標のうち少なくとも１つを、通常操作においても、固定として扱えるように規定することにより、リモコン受信処理手段８でのリモコン受信処理部、従って、受信センサの配備数が受信レベルの決定変数の個数より１つ少ない４個でも、リモコン位置座標Ｐｓやリモコン指示座標Ｐｐを算出することができる。
【００７８】
従って、この第２の実施形態では、以下の効果が得られることになる。
【００７９】
リモコン受信処理部の配備数を４個に削減でき、この部品点数を削減できる分だけ装置のコストの低減が図れる。  
簡単な所定操作を規定し、かつ、通常操作に少しの規定をするだけで、任意のリモコン指示座標の認識が可能となり、表示情報の操作が直感的（直接的）に行えて使い勝手が向上する。
【００８０】
例えば、リモコン２０の前後移動を規定すれば、リモコン位置座標のＺ座標Ｚｓを固定として扱えるので、４つの変数の４元連立方程式が成立することになり、任意のリモコン位置座標Ｐｓやリモコン指示座標Ｐｐの認識が可能となる。また、表示エリア４ａに縦方向に配列されたリストの選択操作であれば、リモコン指示座標のＸ座標Ｘｐは固定として扱えるので、Ｙ座標Ｙｐを任意に変化させるリモコン指示座標の認識が可能となる。
【００８１】
なお、表示エリア４ａに縦方向あるいは横方向に配列されたリストを選択するという通常操作において、リスト表示を所定位置に固定し、この所定位置に対してリモコン指示を行なうようにすれば、通常操作におけるリモコン指示座標ＰｐのＸ座標あるいはＹ座標を固定して扱えるため、リモコン位置座標Ｐｓやリモコン指示座標Ｐｐの認識が可能となり、また、この場合には、予め実施する所定のリモコン操作は不要となる。
【００８２】
〔第３の実施形態〕
図７は本発明による表示装置の第３の実施形態を示すブロック構成図であって、図１に対応する部分には同一符号をつけて重複する説明を省略する。
【００８３】
同図において、この第３の実施形態では、表示装置本体２に、先の第１の実施形態の場合とは２つ少ない３個のリモコン受信処理部９〜１１を設けたものである。これ以外の構成は先の第１の実施形態と同様であり、３個のリモコン受信処理部９〜１１の受信レベルを用いて、リモコン操作座標生成手段７がリモコン２０の位置を表わすリモコン位置座標とリモコン２０の表示エリア４ａでの指示位置を表わすリモコン指示座標とを求めることができるようにしたものである。
【００８４】
但し、この第３の実施形態では、検出する受信レベル、従って、連立させたい方程式の数が第１の実施形態よりも２つ足りないために、リモコン操作座標生成手段７でのリモコン操作座標生成では、受信レベルを決定する上記数１〜５での５つの変数うち、少なくても２つの変数を既知の値の定数として扱うようにする。
【００８５】
具体的には、予め実施する所定のリモコン操作に基づいて、リモコン位置座標のＸ座標，Ｙ座標，Ｚ座標及びリモコン指示座標のＸ座標，Ｙ座標のうち少なくとも２つを生成して保持しておき、この保持した所定座標も、リモコン操作座標生成手段７での上記数１〜５に基づくリモコン操作座標生成処理に用いるものである。
【００８６】
図８は図７における表示装置本体２の前面部とこれに向けられたリモコン２０の状態の一具体例を示す斜視図であって、図２に対応する部分には同一符号を付けて重複する説明を省略する。
【００８７】
同図において、表示本体２の前面部には、その表示エリア４ａの左下角部の外側にリモコン受信処理部９（図７）の受信センサ９ｓが、同じく右下角部の外側にリモコン受信処理部１０（図７）の受信センサ１０ｓが夫々設けられ、この表示エリア４ａの上辺外側の中央部にリモコン受信処理部１１（図７）の受信センサ１１ｓが設けられている。なお、上記の左下角部，右下角部及び中央部とは夫々、左下角，右下角，中央の位置、あるいはそれらの位置の近辺をいうものであり、これらの位置が受信位置座標となる。
【００８８】
ここでは、リモコン２０を、表示装置本体２の前面の略中央に配置した表示エリア４ａの前方側から、この表示エリア４ａに向けた状態で操作する。但し、先の第１の実施形態と同様に、これに限るものではない。
【００８９】
なお、受信センサ９ｓ〜１１ｓの配置としては、先の第１の実施形態と同様、上記の配置に限るものではないが、上記の任意のリモコン指示座標とリモコン位置座標に対して、各リモコン受信処理部９〜１１の受信センサ９ｓ〜１１ｓでの赤外線信号Ａの受信レベルの相関性が低くなるように、これら受信センサ９ｓ〜１１ｓの配置関係を設定することが望ましい。
【００９０】
また、リモコン２０では、先の第１の実施形態と同様、ここでは、リモコン送信処理手段２１がこのリモコン２０の略先端に配備されるが、これに限るものではない。
【００９１】
図９は図７におけるリモコン操作座標生成手段７によるリモコン操作座標生成方法の一具体例を示す図であって、図３に対応する部分には同一符号をつけて重複する説明を省略する。
【００９２】
同図において、表示エリア４ａ上に、予め実施する所定のリモコン操作におけるリモコン指示座標ＰｐのＸ軸座標値ＸｐとＹ座標値Ｙｐを規定するリモコン指示座標（以下、規定のリモコン指示座標という）Ｐ３を設定している。ここでは、かかる規定のリモコン指示座標Ｐ３に表示エリア４ａの座標原点Ｐｏを設定している。但し、これに限るものではなく、表示エリア４ａ上の他の位置を設定してもよい。これにより、規定のリモコン指示座標Ｐ３のＸ軸座標値，Ｙ軸座標値，Ｚ軸座標値（＝０）は既知となる。ここで、規定のリモコン指示座標Ｐ３を設定している以外、先の第１の実施形態と同様の構成である。
【００９３】
なお、上記の通り、この規定のリモコン指定座標Ｐ３は、ユーザが容易に意識できるような設定が望ましい。また、予め実施する所定のリモコン操作により、この規定のリモコン指示座標Ｐ３を予め決められた時間だけ所定のマークなどで表示し、この規定のリモコン指示座標Ｐ３をユーザが容易に認識できるようにしてもよい。
【００９４】
次に、リモコン２０の所定操作で３個の受信センサ９ｓ〜１１ｓで得られた３つの受信レベルをもとに、所定のリモコン操作におけるリモコン位置座標Ｐｓ（Ｘｓ，Ｙｓ，Ｚｓ）とリモコン指定座標Ｐｐ（Ｘｐ，Ｙｐ，０）を求める処理について説明する。
【００９５】
リモコン位置座標Ｐｓを検出するために、まず、所定のリモコン操作として、リモコン２０を規定のリモコン指示座標Ｐ３に向けて赤外線信号Ａを放射させる。これにより、リモコン受信位置座標Ｐｒでの受信センサ１０ｓ（図８）がこの赤外線信号Ａを受信し、リモコン受信処理手段１０（図７）がその受信レベルＢを検出し、リモコン操作座標生成手段７（図７）に供給する。同様にして、受信センサ９ｓ，１１ｓ（図８）もこの赤外線信号Ａを受信し、リモコン受信処理手段９，１１（図７）がそれらの受信レベルＢを検出してリモコン操作座標生成手段７に供給する。
【００９６】
リモコン操作座標生成手段７では、リモコン受信処理手段９，１０，１１からの受信レベル毎に上記数１〜数５による受信レベルの方程式を設定し、かかる３元連立方程式を解くことにより、リモコン位置座標Ｐｓを求める。ここで、このときのリモコン指示座標Ｐｐは規定のリモコン指示座標Ｐ３であるから、このときの上記数３〜数５でのリモコン指示座標Ｐｐの各座標値Ｘｐ，Ｙｐ，Ｚｐは夫々規定のリモコン指示座標Ｐ３の座標値であり、定数である。規定のリモコン指示座標Ｐ３が座標原点Ｐｏである場合には、座標値Ｘｐ，Ｙｐ，Ｚｐは全て「０」の値である。
【００９７】
従って、数１〜数５による３元連立方程式での座標値Ｘｐ，Ｙｐは定数であり（この場合、Ｘｐ＝０，Ｙｐ＝０）、リモコン位置座標Ｐｓの各座標値Ｘｓ，Ｙｓ，Ｚｓのみが変数となり、この３元連立方程式からこれら座標値Ｘｓ，Ｙｓ，Ｚｓ、即ち、リモコン位置座標Ｐｓを算出することができる。
【００９８】
このようにして算出されたリモコン位置座標Ｐｓの座標値Ｘｓ，Ｙｓ，Ｚｓは数１〜数５による３元連立方程式に代入され、これ以降は、リモコン２０の位置（リモコン位置座標Ｐｓ）に関して、所定のリモコン操作でのＸ座標Ｘｓ，Ｙ座標，Ｚ座標Ｚｓのうちの少なくとも２つを変化させることなく、リモコンの向きを変えることによって表示エリア４ａでのリモコン指示座標Ｐｐを変化させても、数１〜数５による３元連立方程式から任意の位置のリモコン位置座標Ｐｓとリモコン指示座標Ｐｐとを求めることができる。
【００９９】
以上のように、この第３の実施形態では、予め決められた表示エリア４ａ上の任意の位置座標をリモコン２０で指示するという簡単な所定操作を規定することにより、かつ、この所定操作におけるリモコン位置座標ＰｓのＸ座標，Ｙ座標，Ｚ座標やリモコン指示座標ＰｐのＸ座標，Ｙ座標のうち少なくとも２つを、通常操作においても、固定として扱えるように規定することにより、リモコン受信処理手段８（図７）でのリモコン受信処理部、従って、受信センサの配備数が受信レベルの決定変数の個数より２つ少ない３個でも、リモコン指示座標Ｐｐを算出することができる。
【０１００】
従って、この第３の実施形態では、以下の効果が得られることになる。
【０１０１】
リモコン受信処理部の配備数を３個に削減でき、この部品点数を削減できる分だけ装置のコストの低減が図れる。  
簡単な所定操作を規定し、かつ、通常操作に少しの規定をするだけで、任意のリモコン指示座標の認識が可能となり、表示情報の操作が直感的（直接的）に行えて使い勝手が向上する。
【０１０２】
例えば、リモコン２０の前後上下移動を規定すれば、リモコン位置座標のＹ座標Ｙｓ，Ｚ座標Ｚｓを固定として扱えるので、３つの変数の３元連立方程式が成立することになり、任意のリモコン位置座標Ｐｓやリモコン指示座標Ｐｐの認識が可能となる。また、表示エリア４ａに縦方向に配列されたリストの選択操作であれば、リモコン指示座標ＰｐのＸ座標Ｘｐ，リモコン位置座標ＰｓのＸ座標Ｘｓは固定として扱えるので、Ｙ座標Ｙｐを任意に変化させるリモコン指示座標の認識が可能となる。
【０１０３】
〔第４の実施形態〕
図１０は本発明による表示装置の第４の実施形態を示すブロック構成図であって、図１に対応する部分には同一符号をつけて重複する説明を省略する。
【０１０４】
同図において、この第４の実施形態では、表示装置本体２に、先の第１の実施形態の場合とは３つ少ない２個のリモコン受信処理部９，１０を設けたものである。これ以外の構成は先の第１の実施形態と同様であり、２個のリモコン受信処理部９，１０の受信レベルを用いて、リモコン操作座標生成手段７がリモコン２０の位置を表わすリモコン位置座標とリモコン２０の表示エリア４ａでの指示位置を表わすリモコン指示座標とを求めることができるようにしたものである。
【０１０５】
但し、この第４の実施形態では、検出する受信レベル、従って、連立させたい方程式の数が第１の実施形態よりも３つ足りないために、リモコン操作座標生成手段７でのリモコン操作座標生成では、受信レベルを決定する上記数１〜５での５つの変数うち、少なくても３つの変数を既知の値の定数として扱うようにする。
【０１０６】
具体的には、予め実施する所定のリモコン操作に基づいて、リモコン位置座標のＸ座標，Ｙ座標，Ｚ座標及びリモコン指示座標のＸ座標，Ｙ座標のうち少なくとも３つを生成して保持しておき、この保持した所定座標も、リモコン操作座標生成手段７での上記数１〜５に基づくリモコン操作座標生成処理に用いるものである。
【０１０７】
図１１は図１０における表示装置本体２の前面部とこれに向けられたリモコン２０の状態の一具体例を示す斜視図であって、図２に対応する部分には同一符号を付けて重複する説明を省略する。
【０１０８】
同図において、表示本体２の前面部には、その表示エリア４ａの左下角部の外側にリモコン受信処理部９（図１０）の受信センサ９ｓが、同じく右下角部の外側にリモコン受信処理部１０（図１０）の受信センサ１０ｓが夫々設けられている。なお、上記の左下角部，右下角部とは夫々、左下角，右下角、あるいはそれらの位置の近辺をいうものであって、これらの位置が受信位置座標となる。
【０１０９】
ここでは、リモコン２０を、表示装置本体２の前面の略中央に配置した表示エリア４ａの前方側から、この表示エリア４ａに向けた状態で操作する。但し、先の第１の実施形態と同様に、これに限るものではない。
【０１１０】
なお、受信センサ９ｓ〜１０ｓの配置としては、先の第１の実施形態と同様、上記の配置に限るものではないが、上記の任意のリモコン指示座標とリモコン位置座標に対して、各リモコン受信処理部９，１０の受信センサ９ｓ〜１０ｓでの赤外線信号Ａの受信レベルの相関性が低くなるように、これら受信センサ９ｓ〜１０ｓの配置関係を設定することが望ましい。
【０１１１】
また、リモコン２０では、先の第１の実施形態と同様、ここでは、リモコン送信処理手段２１がこのリモコン２０の略先端に配備されるが、これに限るものではない。
【０１１２】
図１２は図１０におけるリモコン操作座標生成手段７によるリモコン操作座標生成方法の一具体例を示す図であって、３２は仮想ＹＺ平面であり、図３に対応する部分には同一符号をつけて重複する説明を省略する。
【０１１３】
同図において、予め実施する所定のリモコン操作におけるリモコン指示座標ＰｐのＸ座標値ＸｐとＹ座標値Ｙｐとを規定するリモコン指示座標（以下、規定のリモコン指示座標という）Ｐ４と、リモコン位置座標ＰｓのＸ座標値Ｘｓを規定する仮想ＹＺ平面３２とを設定している。この仮想ＹＺ平面３２は、規定のリモコン指示座標Ｐ４を通るＹ軸方向上下に無限に延長する垂線としての所定指示線分Ｌ2を一方側の側辺とし、表示エリア４ａに垂直な、従って、右側面３１に平行なＹＺ平面である。ここでは、この規定のリモコン指示座標Ｐ４に表示エリア４ａの座標原点Ｐｏを設定している。但し、これに限るものではなく、表示エリア４ａ上の他の位置としてもよい。これにより、規定のリモコン指示座標Ｐ４のＸ軸座標値，Ｙ軸座標値，Ｚ軸座標値（＝０）、リモコン位置座標ＰｓのＸ座標値は既知となる。ここで、規定のリモコン指示座標Ｐ４と仮想ＹＺ平面３２とを設定している以外、先の第１の実施形態と同様の構成である。
【０１１４】
なお、上記の通り、この規定のリモコン指示座標Ｐ４と仮想ＹＺ平面３２とは、ユーザが容易に意識できるような設定が望ましい。また、予め実施する所定のリモコン操作により、所定指示線分Ｌ2を表示し、この所定指示線分Ｌ2をユーザが容易に認識できるようにしてもよい。
【０１１５】
次に、リモコン２０の所定操作で２個の受信センサ９ｓ〜１０ｓで得られた２つの受信レベルをもとに、所定のリモコン操作におけるリモコン位置座標Ｐｓ（Ｘｓ，Ｙｓ，Ｚｓ）とリモコン指定座標Ｐｐ（Ｘｐ，Ｙｐ，０）を求める処理について説明する。
【０１１６】
リモコン位置座標Ｐｓを検出するために、まず、所定のリモコン操作として、リモコン２０を仮想ＹＺ平面３２上の任意の位置に位置付けて、このリモコン２０から規定のリモコン指示座標Ｐ４に向けて赤外線信号Ａを放射させる。これにより、リモコン受信位置座標Ｐｒでの受信センサ１０ｓ（図１１）がこの赤外線信号Ａを受信し、リモコン受信処理手段１０（図１０）がその受信レベルＢを検出し、リモコン操作座標生成手段７（図１０）に供給する。同様にして、受信センサ９ｓ（図１１）もこの赤外線信号Ａを受信し、リモコン受信処理手段９（図１０）がそれらの受信レベルＢを検出してリモコン操作座標生成手段７に供給する。
【０１１７】
リモコン操作座標生成手段７では、リモコン受信処理手段９，１０からの受信レベル毎に上記数１〜数５による受信レベルの方程式を設定し、かかる２元連立方程式を解くことにより、リモコン位置座標Ｐｓを求める。ここで、このときのリモコン指示座標Ｐｐは規定のリモコン指示座標Ｐ４であるから、このときの上記数３〜数５でのリモコン指示座標Ｐｐの各座標値Ｘｐ，Ｙｐ，Ｚｐは夫々規定のリモコン指示座標Ｐ４の座標値であり、定数である。規定のリモコン指示座標Ｐ４は座標原点Ｐｏである場合には、座標値Ｘｐ，Ｙｐ，Ｚｐは全て「０」の値である。また、リモコン２０が仮想ＹＺ平面３２上に位置付けられるから、リモコン位置座標ＰｓのＸ座標値Ｘｓは規定のリモコン指示座標Ｐ４のＸ座標値に等しく、従って、このＸ座標値Ｘｓは定数である。
【０１１８】
従って、数１〜数５による２元連立方程式での座標値Ｘｐ，Ｙｐ，Ｘｓは定数であり（この場合、Ｘｐ＝０，Ｙｐ＝０）、リモコン位置座標Ｐｓの座標値Ｙｓ，Ｚｓのみが変数となり、この２元連立方程式からこれら座標値Ｙｓ，Ｚｓ、即ち、リモコン位置座標Ｐｓを算出することができる。
【０１１９】
このようにして算出されたリモコン位置座標Ｐｓの座標値Ｙｓ，Ｚｓは数１〜数５による２元連立方程式に代入され、これ以降は、リモコン２０の位置（リモコン位置座標Ｐｓ）を仮想ＹＺ平面３２上の任意の位置に位置付け、リモコン２０の向きを変えることによって表示エリア４ａでのリモコン指示座標Ｐｐを変化させても、数１〜数５による２元連立方程式から任意の位置のリモコン位置座標Ｐｓとリモコン指示座標Ｐｐとを求めることができる。
【０１２０】
以上のように、この第４の実施形態では、リモコン２０を予め決められた位置に位置付けし、表示エリア４ａ上の予め決められた任意の位置座標をこのリモコン２０で指示するという簡単な所定操作を規定することにより、かつ、この所定操作におけるリモコン位置座標ＰｓのＸ座標，Ｙ座標，Ｚ座標やリモコン指示座標ＰｐのＸ座標，Ｙ座標のうち少なくとも３つを、通常操作においても、固定として扱えるように規定することにより、リモコン受信処理手段８（図１０）でのリモコン受信処理部、従って、受信センサの配備数が受信レベルの決定変数の個数より３つ少ない２個でも、リモコン指示座標Ｐｐを算出することができる。
【０１２１】
従って、この第４の実施形態では、以下の効果が得られることになる。
【０１２２】
リモコン受信処理部の配備数を２個に削減でき、この部品点数を削減できる分だけ装置のコストの低減が図れる。  
簡単な所定操作を規定し、かつ、通常操作に少しの規定をするだけで、任意のリモコン指示座標の認識が可能となり、表示情報の操作が直感的（直接的）に行えて使い勝手が向上する。
【０１２３】
例えば、リモコン２０の前後上下左右の移動を規定すれば、リモコン位置座標のＸ座標Ｘｓ，Ｙ座標Ｙｓ，Ｚ座標Ｚｓを固定として扱えるので、２つの変数の２元連立方程式が成立することになり、任意のリモコン指示座標Ｐｐの認識が可能となる。また、表示エリア４ａに縦方向に配列されたリストの選択操作であれば、リモコン２０の前後上下の移動を規定すれば、リモコン指示座標ＰｐのＸ座標Ｘｐとリモコン位置座標ＰｓのＹ座標Ｙｓ，Ｚ座標Ｚｓとは固定として扱えるので、表示エリア４ａの略下辺を１辺とする半平面上のＹ座標を任意としたリモコン指示座標Ｐｐの認識が可能となる。
【０１２４】
なお、このリストの選択操作において、リモコン受信処理部９（図１０）の受信センサ９ｓを表示エリア４ａの左上角部の外側に設ければ、Ｙ座標Ｙｐを任意に変化させるリモコン指示座標Ｐｐの認識が可能となる。
【０１２５】
〔第５の実施形態〕
図１３は本発明による表示装置の第５の実施形態を示すブロック構成図であって、図１に対応する部分には同一符号をつけて重複する説明を省略する。
【０１２６】
同図において、この第５の実施形態では、表示装置本体２に、先の第１の実施形態の場合とは４つ少ない１個のリモコン受信処理部９を設けたものである。これ以外の構成は先の第１の実施形態と同様であり、１個のリモコン受信処理部９の受信レベルを用いて、リモコン操作座標生成手段７がリモコン２０の位置を表わすリモコン位置座標とリモコン２０の表示エリア４ａでの指示位置を表わすリモコン指示座標とを求めることができるようにしたものである。
【０１２７】
但し、この第５の実施形態では、検出する受信レベル、従って、連立させたい方程式の数が第１の実施形態よりも４つ足りないために、リモコン操作座標生成手段７でのリモコン操作座標生成では、受信レベルを決定する上記数１〜５での５つの変数うち、少なくても４つの変数を既知の値の定数として扱うようにする。
【０１２８】
具体的には、予め実施する所定のリモコン操作に基づいて、リモコン位置座標のＸ座標，Ｙ座標，Ｚ座標及びリモコン指示座標のＸ座標，Ｙ座標のうち少なくとも４つを生成して保持しておき、この保持した所定座標も、リモコン操作座標生成手段７での上記数１〜５に基づくリモコン操作座標生成処理に用いるものである。
【０１２９】
図１４は図１３における表示装置本体２の前面部とこれに向けられたリモコン２０の状態の一具体例を示す斜視図であって、図２に対応する部分には同一符号を付けて重複する説明を省略する。
【０１３０】
同図において、表示本体２の前面部には、その表示エリア４ａの右下角部の外側にリモコン受信処理部９（図１０）の受信センサ９ｓが設けられている。なお、上記の右下角部とは、右下角、あるいはそれらの位置の近辺をいうものであって、これらの位置が受信位置座標となる。
【０１３１】
ここでは、リモコン２０を、表示装置本体２の前面の略中央に配置した表示エリア４ａの前方側から、この表示エリア４ａに向けた状態で操作する。但し、先の第１の実施形態と同様に、これに限定されるものではない。
【０１３２】
なお、受信センサ９ｓの配置としては、先の第１の実施形態と同様、上記の配置に限るものではない。
【０１３３】
また、リモコン２０では、先の第１の実施形態と同様、ここでは、リモコン送信処理手段２１がこのリモコン２０の略先端に配備されるが、これに限るものではない。
【０１３４】
図１５は図１３におけるリモコン操作座標生成手段７によるリモコン操作座標生成方法の一具体例を示す図であり、図３に対応する部分には同一符号をつけて重複する説明を省略する。
【０１３５】
同図において、予め実施する所定のリモコン操作におけるリモコン指示座標ＰｐのＸ座標値ＸｐとＹ座標値Ｙｐを規定する表示エリア４ａ上に規定されたリモコン指定座標（以下、規定のリモコン指示座標という）Ｐ５と、リモコン位置座標ＰｓのＸ座標値ＸｓとＹ座標値Ｙｓとを規定する所定位置線分Ｌ3とを設定している。この所定位置線分Ｌ3は、規定のリモコン指示座標Ｐ５を通る表示エリア４ａに垂直な、即ち、Ｚ軸方向の所定位置線分である。ここでは、この規定のリモコン指示座標Ｐ５に表示エリア４ａの座標原点Ｐｏを設定している。但し、これに限るものではなく、表示エリア４ａ上の他の位置としてもよい。これにより、規定のリモコン指示座標Ｐ５のＸ軸座標値，Ｙ軸座標値，Ｚ軸座標値（＝０）とリモコン位置座標ＰｓのＸ座標値Ｘｓ，Ｙ座標値Ｙｓとは既知である。ここで、規定のリモコン指示座標Ｐ５と所定位置線分Ｌ3とを設定している以外、先の第１の実施形態と同様の構成である。
【０１３６】
なお、上記の通り、この規定のリモコン指定座標Ｐ５と所定位置線分Ｌ3は、ユーザが容易に意識できるような設定が望ましい。また、予め実施する所定のリモコン操作により、規定のリモコン指示座標Ｐ５を表示して、規定のリモコン指示座標Ｐ５をユーザが容易に認識できるようにしてもよい。
【０１３７】
次に、リモコン２０の所定操作で１個の受信センサ９ｓで得られた１つの受信レベルをもとに、所定のリモコン操作におけるリモコン位置座標Ｐｓ（Ｘｓ，Ｙｓ，Ｚｓ）とリモコン指定座標Ｐｐ（Ｘｐ，Ｙｐ，０）を求める処理について説明する。
【０１３８】
リモコン位置座標Ｐｓを検出するために、まず、所定のリモコン操作として、リモコン２０を所定位置線分Ｌ3上の任意の位置に位置付けて、このリモコン２０から規定のリモコン指示座標Ｐ５に向けて赤外線信号Ａを放射させる。これにより、リモコン受信位置座標Ｐｒでの受信センサ９ｓ（図１４）がこの赤外線信号Ａを受信し、リモコン受信処理手段９（図１３）がその受信レベルＢを検出し、リモコン操作座標生成手段７（図１３）に供給する。
【０１３９】
リモコン操作座標生成手段７では、リモコン受信処理手段９からの受信レベルに対して上記数１〜数５による受信レベルの方程式を設定し、かかる方程式からリモコン位置座標Ｐｓを求める。ここで、このときのリモコン指示座標Ｐｐは規定のリモコン指示座標Ｐ５であるから、このときの上記数３〜数５でのリモコン指示座標Ｐｐの各座標値Ｘｐ，Ｙｐ，Ｚｐは夫々規定のリモコン指示座標Ｐ５の座標値であり、定数である。規定のリモコン指示座標Ｐ５は座標原点Ｐｏである場合には、座標値Ｘｐ，Ｙｐ，Ｚｐは全て「０」の値である。また、リモコン２０が所定位置線分Ｌ3上に位置付けられるから、リモコン位置座標ＰｓのＸ座標値ＸｓとＹ座標値Ｙｓとは規定のリモコン指示座標Ｐ５のＸ座標値，Ｙ座標値に等しく、従って、これらＸ座標値ＸｓとＹ座標値Ｙｓとは定数である。
【０１４０】
従って、数１〜数５による方程式での座標値Ｘｐ，Ｙｐ，Ｘｓ，Ｙｓは定数であり（この場合、Ｘｐ＝Ｙｐ＝Ｘｓ＝Ｙｓ＝０）、リモコン位置座標Ｐｓの座標値Ｚｓのみが変数となり、この方程式からこれら座標値Ｚｓを求めることができて、リモコン位置座標Ｐｓを算出することができる。
【０１４１】
このようにして算出されたリモコン位置座標Ｐｓの座標値Ｚｓは数１〜数５による方程式に代入され、これ以降は、リモコン２０の位置（リモコン位置座標Ｐｓ）を所定位置線分Ｌ3の任意の位置に位置付け、リモコン２０の向きを変えることによって表示エリア４ａでのリモコン指示座標Ｐｐを変化させても、数１〜数５による方程式から任意の位置のリモコン位置座標Ｐｓとリモコン指示座標Ｐｐを求めることができる。
【０１４２】
以上のように、この第５の実施形態では、リモコン２０を予め決められた位置に位置付けし、表示エリア４ａ上の予め決められた任意の位置座標をこのリモコン２０で指示するという簡単な所定操作を規定することにより、かつ、この所定操作におけるリモコン位置座標ＰｓのＸ座標，Ｙ座標，Ｚ座標やリモコン指示座標ＰｐのＸ座標，Ｙ座標のうち少なくとも４つを、通常操作においても、固定として扱えるように規定することにより、リモコン受信処理手段８（図１３）でのリモコン受信処理部、従って、受信センサの配備数が受信レベルの決定変数の個数より４つ少ない１個でも、リモコン指示座標Ｐｐを算出することができる。
【０１４３】
従って、この第５の実施形態では、以下の効果が得られることになる。
【０１４４】
リモコン受信処理部の配備数を１個に削減でき、この部品点数を削減できる分だけ装置のコストの低減が図れる。  
簡単な所定操作を規定し、かつ、通常操作に少しの規定をするだけで、任意のリモコン指示座標の認識が可能となり、表示情報の操作が直感的（直接的）に行えて使い勝手が向上する。
【０１４５】
例えば、リモコン２０の前後上下左右の移動とリモコン指示座標ＰｐのＸ座標値Ｘｐとを規定すれば、リモコン位置座標ＰｓのＸ座標Ｘｓ，Ｙ座標Ｙｓ，Ｚ座標Ｚｓとリモコン指示座標ＰｐのＸ座標Ｘｐを固定として扱えるので、１つの変数の方程式が成立することになり、任意のリモコン指示座標Ｐｐの認識が可能となるので、表示エリア４ａの略下辺を１辺とする半平面上のＹ座標を任意としたリモコン指示座標Ｐｐの認識が可能となる。この規定は、表示エリア４ａに縦方向に配置されたリストの選択操作などに許容できるものである。
【０１４６】
以上、本発明の実施形態について説明したが、これは一例であって、その変形も可能である。
【０１４７】
例えば、図１，図４，図７，図１０及び図１３でのリモコン送信処理手段２１やリモコン受信処理手段８には、赤外線が用いられたが、電波や音波などを用いるようにしてもよい。
【０１４８】
また、リモコン受信処理手段８とリモコン操作座標生成手段７とを有する座標入力装置への適用可能である。
【０１４９】
さらに、全てのリモコン受信処理部は、表示装置１と同一筐体であることに限定するものでなく、１つ以上のリモコン受信処理部が表示装置１と別筐体であってもよい。
【０１５０】
さらにまた、本発明を座標入力装置として適用する機器としては、デジタルテレビに限らず、パーソナルコンピュータや携帯電話，各種携帯端末などの他のコンテンツ視聴機器などでもよい。かかる機器への適用では、上記のように、図１や図４，図７，図１０，図１３でのリモコン受信処理手段８とリモコン操作座標生成手段７とが座標に入力装置を構成し、リモコン操作座標生成手段７で生成されたリモコン操作座標Ｄがかかる機器に供給される。
【符号の説明】
【０１５１】
１  表示装置
２  表示装置本体
３  コンテンツ出力手段
４  表示出力手段
４ａ  表示エリア
５  音声出力手段
６  コンテンツ生成手段
７  リモコン操作座標生成手段
８  リモコン受信処理手段
９〜１３  リモコン受信処理部
９ｓ〜１３ｓ  受信センサ
２０  リモコン（リモートコントローラ）
２１  リモコン送信処理手段
２２  操作情報生成手段
２３  操作手段
３０  リモコン位置座標平面
３１  右側面
３１Ｕ  下辺
３２  仮想ＹＺ平面
【図１】
2011243115.tif 000003
【図２】
2011243115.tif 000004
【図３】
2011243115.tif 000005
【図４】
2011243115.tif 000006
【図５】
2011243115.tif 000007
【図６】
2011243115.tif 000008
【図７】
2011243115.tif 000009
【図８】
2011243115.tif 000010
【図９】
2011243115.tif 000011
【図１０】
2011243115.tif 000012
【図１１】
2011243115.tif 000013
【図１２】
2011243115.tif 000014
【図１３】
2011243115.tif 000015
【図１４】
2011243115.tif 000016
【図１５】
2011243115.tif 000017